(57)【要約】【課題】ペット用ベッドを売り場で展示するシステム及び方法を提供する。【解決手段】展示システム（２００）は、種々の嵩を有する複数個のマットレス（１００）及び種々の嵩のマットレスに対応した種々のサイズのカバーを展示する展示ユニット（２０２，２１０，２２０）を有する。マットレスは、好ましくは、膨張状態と比較して嵩が減少した圧縮状態に拘束されて売り場で展示され、かかる圧縮状態は、好ましくは、展示ユニットについて占めるスペースの量を減少させる。さらに、マットレスのサイズが色々と揃っており、しかもカバーの設計が色々と揃っているので、ユーザは、自分の好みに合わせてペット用ベッドを個性化しやすくなる。【選択図】図５
2008284377.tif 000002
【特許請求の範囲】
【請求項１】
ペット用ベッドを売り場で展示するシステムであって、
ペット用ベッドとして用いるのに適したサイズ、形状、寸法及び材料の複数のマットレスと、
１つ又は２つ以上の第１のマットレスを圧縮状態で保持する展示ユニットとを有し、前記第１のマットレスは、圧縮状態にあるときの第１の圧縮嵩及び膨張状態にあるときの第１の膨張嵩を有し、前記第１の膨張嵩は、前記第１の圧縮嵩よりも大きく、
前記展示ユニットは、１つ又は２つ以上の第２のマットレスを圧縮状態で保持し、前記第２のマットレスは、圧縮状態にあるときの第２の圧縮嵩及び膨張状態にあるときに前記第１の膨張嵩よりも大きな第２の膨張嵩を有し、前記第２の膨張嵩は、前記第２の圧縮嵩よりも大きく、
前記展示ユニットは、前記膨張状態にある前記第１のマットレスを実質的に覆うよう寸法決めされた複数の第１のカバーを保持し、前記複数の第１のカバーは、前記第１のカバーの２つ又は３つ以上のバリエーションを含み、各バリエーションは、それぞれ互いに異なる外観を有し、
前記展示ユニットは、前記膨張状態にある前記第２のマットレスを実質的に覆うよう寸法決めされた複数の第２のカバーを保持し、
前記複数の第２のカバーは、外観が互いに異なる２つ又は３つ以上の第２のカバーを含む、
ことを特徴とするシステム。
【請求項２】
サンプル用マットレスを膨張状態で保持するサンプル展示ユニットを更に有する、
請求項１記載のシステム。
【請求項３】
膨張状態のサンプル用マットレス及び前記サンプル用マットレスを実質的に覆うカバーを保持するサンプル展示ユニットを更に有する、
請求項１記載のシステム。
【請求項４】
サイズが互いに異なるマットレス及び外観が互いに異なるカバーのための別々のコンパートメントを有する、
請求項１記載の展示ユニット。
【請求項５】
ペット用ベッドを展示するシステムであって、
売り場用展示として使用されるような寸法形状の展示ラックと、
非拘束膨張状態のマットレスと比較して嵩が減少した圧縮状態に拘束されていて、ペット用ベッドとして用いるのに適したサイズ、材料及び寸法の複数のマットレスと、
前記マットレスを実質的に覆うよう構成されると共に配置された複数の外観が互いに異なるカバーとを有し、前記マットレスは、前記カバーとは別個に展示され、複数のカバーは、設計が互いに異なる種々のライナーを有する、
ことを特徴とするシステム。
【請求項６】
前記複数のマットレスは、前記圧縮状態において種々の嵩を有するマットレスを含み、前記カバーは、種々の嵩の前記マットレスに対応して種々のサイズで揃っており、前記マットレスは、圧縮状態の前記嵩よりも大きな嵩の膨張状態を有する、
請求項５記載のシステム。
【請求項７】
前記圧縮状態は、前記膨張状態の嵩の約５％〜５０％の嵩を有する、
請求項６記載のシステム。
【請求項８】
前記圧縮状態は、前記膨張状態の嵩の約１４％〜３０％の嵩を有する、
請求項６記載のシステム。
【請求項９】
前記圧縮状態は、前記膨張状態の嵩の約２０％〜２５％の嵩を有する、
請求項６記載のシステム。
【請求項１０】
前記マットレスは、複数のチャンバと、マットレスを複数のチャンバに分割する軟質材料で作られた仕切りとを有する、
請求項５記載のシステム。
【請求項１１】
前記仕切りは、フォーム材料から成る、
請求項１０記載のシステム。
【請求項１２】
前記カバーは、不織布から成る、
請求項５記載のシステム。
【請求項１３】
前記マットレスは、ファイバーフィル、フォーム、粘弾性材料、又はこれらの任意の組み合わせのうちの少なくとも１つを詰め物として有する、
請求項５記載のシステム。
【請求項１４】
前記マットレスを前記圧縮状態に保持する保持具を更に有する、
請求項５記載のシステム。
【請求項１５】
前記保持具は、空気の流入を阻止するよう密封される袋である、
請求項１４記載のシステム。
【請求項１６】
前記保持具は、箱である、
請求項１４記載のシステム。
【請求項１７】
前記マットレスと関連していて、前記マットレスがペット用ベッドとして用いられるべきことを指示する使用説明書を更に有する、
請求項５記載のシステム。
【請求項１８】
マットレス及びカバーは、色分けされており、サイズが共通のマットレスとカバーは、共通の色が施されたパッケージ内に収納されるのが良い、
請求項５記載のシステム。
【請求項１９】
ペット用のベッドであって、前記ベッドは、
ペット用ベッドとして用いるのに適したサイズ、材料及び寸法のものであって圧縮状態及び膨張状態を有するマットレスを有し、
前記マットレスを前記圧縮状態に維持する拘束具を有し、
前記マットレスは、前記拘束具を前記マットレスから取り外すと、それ自体の弾性によって膨張し、前記マットレスの内側チャンバは、前記マットレスの外側チャンバが膨張する前に膨張し、前記ベッドは、更に、
前記マットレスと関連していて、前記マットレスをペット用ベッドとして用いるべきことを指示する使用説明書を有し、
前記マットレスとは別個のカバーを有し、前記カバーは、対応のマットレスを受け入れるよう寸法決めされている、
ことを特徴とするペット用ベッド。
【請求項２０】
前記マットレスは、内側チャンバと、外側チャンバと、前記内側チャンバを前記外側チャンバから分離する仕切りとを有する、
請求項１９記載のペット用ベッド。
【請求項２１】
店でペット用ベッドシステムを展示する方法であって、
ペットに適した少なくとも１つのペット用ベッドを店内に用意するステップを有し、前記ペット用ベッドは、膨張状態において膨張嵩を有するマットレスを有し、
前記マットレスを前記膨張嵩の半分未満の圧縮嵩を有する圧縮状態に圧縮するステップを有し、
前記マットレスを前記圧縮状態に維持するよう前記マットレスを拘束するステップを有し、
前記膨張状態の１つ又は２つ以上の前記マットレスを実質的に覆うよう構成されると共に配置された複数のカバーを展示するステップを有する、
ことを特徴とする方法。
【請求項２２】
前記圧縮状態の１つ又は２つ以上の第１のマットレスを保持するよう構成されると共に配置された第１の展示ユニットを用意するステップを有し、
１つ又は２つ以上の第２のマットレスを圧縮状態に保持するよう構成されると共に配置された第２の展示ユニットを用意するステップを有し、前記第２のマットレスは、前記圧縮状態にあるときに第２の圧縮サイズを有すると共に膨張状態にあるときに前記第１の圧縮サイズよりも大きな第２の圧縮サイズを有し、
前記膨張状態にある前記第１のマットレスを実質的に覆うよう寸法決めされた１つ又は２つ以上の第１のカバーを保持するよう構成されると共に配置された第３の展示ユニットを用意するステップを有し、
前記膨張状態にある前記第２のマットレスを実質的に覆うよう寸法決めされた１つ又は２つ以上の第２のライナーを保持するよう構成されると共に配置された１つ又は２つ以上の第４の展示ユニットを用意するステップを有する、
請求項２１記載の方法。
【請求項２３】
１つ又は２つ以上の第３のマットレスを圧縮状態に保持するよう構成されると共に配置された第５の展示ユニットを用意するステップを更に有し、前記第３のマットレスは、前記圧縮状態にあるときに第３の圧縮サイズを有すると共に膨張状態にあるときに前記第２の膨張サイズよりも大きな第３の膨張サイズを有し、
前記膨張状態にある前記第３のマットレスを実質的に覆うよう寸法決めされた１つ又は２つ以上の第３のカバーを保持するよう構成されると共に配置された展示ユニットを用意するステップを更に有する、
請求項２２記載の方法。
【発明の詳細な説明】
【技術分野】
【０００１】
本発明は、概略的には、ベッドに関し、詳細には、ペット、例えば犬又は猫に適したベッドに関する。
【０００２】
〔関連出願の参照〕
本願は、２００７年５月８日に出願された米国仮特許出願第６０／９１６，７５１号（発明の名称：PET BED）の優先権主張出願であり、この米国仮特許出願を参照により援用し、その記載内容を本明細書の一部とする。
【背景技術】
【０００３】
ペット用として現在市販されているベッドは、利用できるベッドについて選択幅が限られている。サイズは、典型的には、色及び設計と同様あらかじめ定められている。したがって、消費者の選択肢は限られており、小売商人が展示できる製品の数も又制限される。
【０００４】
上述の欠点に照らして、個別ユーザに合わせた仕様変更を容易にするペットに適したベッドを提供することが望ましい。
【発明の開示】
【０００５】
一般的に言って、本発明は、ペット、例えば犬又は猫に適したベッド製品に関し、ベッドは、包装のために小さなサイズに圧縮可能であり、使用のために大きなサイズに膨張可能なマットレスコンポーネントを有する。本発明の一実施形態は、種々のサイズのマットレスを提供し、マットレスをこれらの膨張嵩の半分未満まで、好ましくは１／３未満まで、最も好ましくは使用時におけるマットレスのサイズの１５％未満まで圧縮することができる。
【０００６】
本発明の別の実施形態では、ベッド用カバーは、ベッドとは別個に市販され、したがって、スペースが限られている場合であっても、店は、多種多様なカバーを置くことができ、消費者は、選択したカバーを互換性のあるベッドに合わせることができるようになっている。
【０００７】
本発明は又、ペット用ベッドを展示する方法及びシステムに関し、かかる展示は、種々のサイズのマットレス、カバー、付属品等を好ましくは単一ユニットの状態で展示することを含む。
【０００８】
したがって、本発明の目的は、使用時におけるマットレスのサイズよりも小さなパッケージ内に圧縮可能なマットレスを提供することにある。
【０００９】
本発明の別の目的は、ベッドのカスタマイゼーション（個別ユーザに合わせた仕様変更）を容易にするようマットレス用の交換可能なカバーを提供することにある。
【００１０】
また、本発明の目的は、ペット用ベッドのための種々のオプションを提供するマットレス及びカバーの品揃えを展示する展示システムを提供することにある。
【００１１】
本発明の他の目的及び特徴は、添付の図面と関連して以下の詳細な説明を参照すると明らかになろう。しかしながら、図面は、説明の目的のために設計されているに過ぎず、本発明の範囲を定めるものではないことは理解されるべきである。
【発明を実施するための最良の形態】
【００１２】
本発明の例示の実施形態によれば、ペット、例えば犬又は猫に適したベッドが提供される。好ましくは、ベッドは、例えば実質的に豊富な品揃えのカバー及び色々なサイズを提供することにより少なくとも部分的にカスタマイゼーションが可能である。これらカバーは、多数のカバーの中に納まる互換性のあるベッドとは別個に店で展示される。かかるオプションにより、ユーザは、ペット及びベッドを配置するスペースに最も良く合ったベッドを選択することができ、更に、ユーザは、自分にとって見た目に最も美しいと思われるベッドを見つけることができる。また、このようにすることにより、店は、多種多様なカバーを在庫することができる。というのは、別個のカバーは、ベッドと同じほど広いスペースを取ることがないからである。
【００１３】
図１〜図４Ｄを参照すると、本発明を例示の実施形態は、圧縮可能であって膨張可能なマットレス１００を含む。具体的に説明すると、販売、展示又は輸送のために包装される場合、マットレス１００を圧縮し、圧縮した状態で密封状態に維持するのが良い。マットレス１００は、種々の方法、例えば、ローラ、プレス、包み、紐又は他の拘束具で圧縮することができ、次に圧縮状態に拘束することができる。変形例として、マットレス１００を圧縮するには、マットレス１００を気密容器、例えばプラスチック製の袋の中に配置し、空気を袋及び好ましくはマットレスから抜いても良い。いったん圧縮されると、マットレス１００は、保持具、この非限定的な例として、紐、包み、容器、例えば箱又は袋等によって圧縮状態に維持される。
【００１４】
非限定的な例を挙げると、マットレス１００を圧縮する手順が、図４Ａ〜図４Ｅに示されている。図４Ａでは、マットレス１００が、その膨張状態で示されている。図４Ｂに示すように、マットレス１００を丸く巻き、図４Ｃで示すようにこれを袋１７０内に挿入するのが良い。空気を袋１７０内から抜くのが良く、そして空気が袋１７０に入るのを阻止するために袋１７０を密封するのが良い。空気を袋１７０から抜いているとき、空気は、好ましくはマットレス１００内からも抜かれ、かくしてマットレスが圧縮される。
【００１５】
図４Ｄは、マットレス１００の実施形態を圧縮に先立って袋１７０内に収納した状態で示している。図４Ｅは、袋１７０内のマットレス１００を圧縮後の状態で、特に空気を袋１７０内から抜いた後の状態で示している。好ましくは、圧縮状態のマットレス１００の嵩は、膨張状態のマットレス１００の嵩の約２０％〜２５％である。空気がその後に袋１７０に入らないようになっているので、マットレス１００は、好ましくは、圧縮状態のままである。圧縮状態のマットレス１００は更に、好ましくは、図４Ｆに示すように箱１８０内に挿入されることにより圧縮状態に保持される。
【００１６】
適当な保持具の一例としては、ポリエステル製の袋１７０、好ましくは、比較的良好な遮断性を備えた積層ポリエステル袋が挙げられる。好ましくは、袋１７０は、袋１７０内への空気の導入を阻止するよう密封される。好ましくは、保持具の組み合わせを使用しても良い。例えば、マットレス１００を袋の中に封入し、そして箱１８０、例えば、段ボール箱、好ましくは積層高級段ボール箱、より好ましくは折り畳み箱内に収納するのが良い。また、マットレス１００を圧縮状態のまま紐で縛って袋又は箱等内に収納しても良く、これは本発明の範囲から逸脱しない。
【００１７】
好ましくは、例えばマットレス１００を容器から取り出して紐をほどく等することによっていったん保持具を取り外すと、マットレス１００は、その自然な膨張状態に膨れることができる。本発明の一実施形態によれば、マットレス１００は、外部器具を用いなくても自然に膨れる。変形例として、膨張器具を用いても良い。この膨張状態は、好ましくは、自然な状態に維持され、使用中、更に実質的に維持される。
【００１８】
本発明の例示の実施形態によれば、圧縮状態のマットレス１００の嵩は、膨張状態の約５％〜５０％、より好ましくは約１４％〜３０％、最も好ましくは約２０％〜２５％である。
【００１９】
マットレス１００がいったん膨張状態にあるとき、マットレスを床の上又は他の望ましい表面上に置くのが良い。本発明の一実施形態によれば、マットレス１００は、直接床の上に置かれる。変形例として、マットレス１００を支持構造体、例えばバスケット、フレーム、スタンド、ハウジング等の上又はその中に配置しても良く、これは、本発明の範囲から逸脱しない。
【００２０】
図１及び図２を参照すると。一実施形態としてのマットレス１００は、カバー又は覆い１４２及びカバー１４２内に保持された詰め物１２４，１４４を有するのが良い。好ましくは、カバー１４２は、織布又は不織布から成り、より好ましくは、不織布から成る。詰め物１２４，１４４は、好ましくは、ファイバーフィル（繊維充填材）、フォーム、粘弾性材料（「形状記憶フォーム」）及び（又は）他の人造材料又は天然材料から成る。
【００２１】
図１に示すマットレスの実施形態によれば、マットレス１００は、好ましくは仕切り１３０によって分離された１つ又は２つ以上のチャンバ１２０，１４０を有するのが良い。仕切り１３０は、種々の材料から成るものであって良いが、仕切り１３０の好ましい材料としては、軟質材料、より好ましくはフォーム材料、最も好ましくは連続気泡ポリウレタンフォームが挙げられる。かかるチャンバ１２０，１４０は、保持具をいったん取り外すと、マットレス１００の膨張を容易にするのが良く、更に、マットレス１００を膨張状態に維持しやすくするのが良い。チャンバ１２０，１４０は又、ペットがマットレス１００の上に載っているときにペットのための支持作用を高めるのが良い。
【００２２】
図１に示すように、仕切り１３０は、マットレス内に第１のチャンバ１２０を構成するのが良く、仕切り１３０とカバー１４２は、ひとまとまりになって、第２のチャンバ１４０を構成するのが良い。変形例として、仕切り１３０は、本発明の範囲から逸脱することなく、カバー１４２及び（又は）仕切り１３０によって構成された２つ又は３つ以上のチャンバをもたらすよう１つ、２つ又は３つ以上の壁を有しても良い。
【００２３】
図２を参照すると、マットレス１００′は、ライナー又はライニング１６０、好ましくは防水ライナー又はライニング１６０を更に有するのが良い。ライナー１６０は、特定用途向けの設計上の選択事項として、カバー１４２に対して取り外し可能であっても良く又は固定されても良い。ライナー１６０は、好ましくは、マットレス１００′を湿気、アクシデント、臭いやシミから保護する。ライナー１６０は、好ましくは、洗濯可能であり、かくして、ベッドをきれいに保つのが容易になる。理解されるべきこととして、カバー１４２は、別個の防水ライニング１６０の代わりに防水であっても良く、これは本発明の範囲から逸脱しない。
【００２４】
本発明の例示の実施形態によれば、ライナー１６０は、取り外し可能であり、かくして、ユーザにはベッドを飾る上での融通性が与えられる。好ましくは、比較的豊富な品揃えのライナー１６０が、美的目的に役立つよう作られている。例えば、ライナー１６０の品揃えとしては、互いに異なる色、互いに異なるパターン、互いに異なる布地等が挙げられ、これらは、ユーザ及び（又は）ペットの必要性及び要望に応じてベッドのカスタマイゼーションを容易にすることができる。さらに、複数のライナー１６０を用いると、ユーザの気分に応じて掛け布等に合うようにするためにライナーをシーズンごとに交互に用いてベッドの見た目を変えることができる。
【００２５】
加うるに、ライナー１６０だけが交換されるので、ベッドの外観を変えるのに要するコストは、ベッド全体の交換と比較して少ない。さらに、ライナー１６０をマットレス１００とは別個独立に洗濯できるので、ライナー１６０をしばしば洗濯することができ、これは、ペットの健康及びベッドが置かれている部屋の空気の質にとって有益な場合がある。
【００２６】
図５〜図７に示す実施形態を参照すると、販売業者、例えば小売業者、ペットショップ等は、種々のサイズのマットレス及びライナー並びに比較的豊富な品揃えのライナーを単一の展示領域、ラック又はシステム２００に入れた状態で提供することができる。マットレス１００，１００′を圧縮状態で提供することにより、マットレスのサイズについて多くの品揃えを、代表的には市場で容易に入手できるマットレスを展示するために用いられる同一の棚スペースに置いた状態で提供できる。したがって、圧縮状態のマットレスは、展示領域、例えば棚の上の展示、並びに保管スペース、例えば倉庫の使用効率を高めることができる。また、マットレスを展示し又は保管するのに必要な領域を減少させることにより、マットレスの流通（物流）、保管又は販売に要するコストを減少させることができる。したがって、マットレスを圧縮状態で提供することにより、好ましくは、自然な状態で販売されている現在入手可能なマットレスと比較して、流通費用及び在庫費用が減ることになる。好ましくは、圧縮状態のマットレスは、マットレスのサイズとは無関係に、ほぼ同じサイズ及び形状の箱に入れて収納され、かくして、画一性が得られると共にマットレスの展示が容易になる。変形例として、別個の包装を行わないでマットレスを保持具、例えば袋と一緒に販売しても良い。
【００２７】
図５〜図７を参照して説明すると、本発明の或る特定の実施形態としての展示システム２００，３００，４００が、好ましくは複数の棚を備えた１つ又は２つ以上のコラムを有するのが良い。図５では、展示システム２００は、３つの棚２１２，２１４，２１６を備えた第１のコラム２１０及び３つの棚２２２，２２４，２２６を備えた第２のコラム２２０を有している。図示のように、第１のコラム２１０は、マットレス１００の箱を保持するために使用でき、第２のコラム２２０は、マットレス１００のための種々のライナー１６０を保持するために使用できる。第１のコラム２１０の互いに異なる棚２１２，２１４，２１６は、互いに異なるサイズのマットレス１００を保持するために使用できる。同様に、第２のコラム２２０の互いに異なる棚２２２，２２４，２２６は、互いに異なるサイズのマットレス１００のライナー１６０を保持するために使用できる。例えば、最上部の棚２１２，２２２は、小サイズのマットレス／ライナーを保持するのが良く、中間の棚２１４，２２４は、中サイズのマットレス／ライナーを保持するのが良く、最下部の棚２１６，２２６は、大サイズのマットレス／ライナーを保持するのが良い。
【００２８】
好ましくは、マットレス及びライナーは、色分けされる。例えば、小サイズのマットレス及びライナーは、赤色ラベルを有するのが良く、大サイズのマットレス及びライナーは、青色ラベルを有するのが良い。したがって、ユーザは、ユーザ及び（又は）ペットの特定の必要性又は要望に合うようにマットレスのサイズ及びライナーのサイズを比較的容易に選択することができる。さらに、マットレスが圧縮状態であると、マットレスを店から家まで運ぶのが容易になる。
【００２９】
例示の実施形態によれば、展示コラム２０２は、マットレス１００を膨張状態で、好ましくはライナー１６０で覆った状態で展示するよう構成されているのが良い。図５に示す実施形態では、展示コラム２０２は、第１のコラム２１０と第２のコラム２２０との間に設けられるのが良い。ベッドの種々の特徴をイラストで示したグラフィックディスプレイ２０４を設けるのが良い。加うるに、ベッドシステムに関する図による説明も又、例えばユニットの頂部の近くのところで展示システムに設けるのが良い。
【００３０】
図６を参照すると、一実施形態としての展示システム３００が、７つのコラムを有している。サンプル用マットレス１００を好ましくは膨張状態で展示できる展示コラム３０２を設けるのが良い。展示対象の各サイズについて２つのコラムを設けるのが良く、即ち、マットレス１００について１つのコラム、ライナー１６０について１つのコラムを設けるのが良い。図示の実施形態では、小サイズ、中サイズ及び大サイズのマットレス１００をそのそれぞれの包装材１００Ｓ，１００Ｍ，１００Ｌの中に収納した状態で、それぞれのコラム３１０，３３０，３５０内に提供するのが良い。同様に、各サイズのマットレス１００のライナー１６０も又、その包装材の中に収納した状態で、そのそれぞれのコラム３２０，３４０，３６０内に入れて提供されるのが良い。
【００３１】
各コラム３１０，３２０，３３０，３４０，３５０，３６０は、マットレス１００又はライナー１６０を載せることができる１つ又は２つ以上の棚３１２，３２２，３３２，３４２，３５２，３６２を有するのが良い。好ましくは、互いに異なるライナー用棚３２２，３４２，３６２は、色、布地、パターン等によって分けられた互いに異なるスタイルのライナーを提供する。複数のディスプレイ３０４を設けるのが良く、好ましくは、ディスプレイ３０４の上又は下に提供されたサイズの識別が可能である。別のディスプレイ３０６、例えばシステムの図による説明も又、例えば、展示システム３００の多数のコラムを跨いだ状態で設けるのが良い。
【００３２】
図７を参照すると、一実施形態としての展示システム４００が、サンプルディスプレイのための別個のコラムを提供するのではなく、２つのコラム４１０，４２０の上にサンプルディスプレイ４０２を有する状態で示されている。図示のように、小サイズのマットレス１００Ｓ及びその対応のライナー１６０をコラム４１０，４２０の１つ又は２つ以上の棚４１２，４２２に入れて提供するのが良い。別の対をなすコラム４３０，４４０は、大サイズのマットレス１００Ｌ及び対応のライナー１６０を展示するために設けられるのが良い。サイズの識別を行うディスプレイ４０４並びにベッドシステムのためのディスプレイ４０６をコラム４１０，４２０，４３０，４４０の上に設けるのが良い。
【００３３】
マットレス１００は、本発明の範囲から逸脱することなく種々の形状を有しても良いことは理解されるべきである。例えば、全体として丸形のマットレスが図示されているが、マットレスは、本発明の範囲から逸脱することなく、全体として矩形の形、六角形の形等を有しても良い。
【００３４】
種々の寸法形状が想定されるが、膨張状態のマットレスのサイズ範囲の一例は、約４４インチ（１．１２ｍ）の直径を有する「大」サイズを含む。好ましくは、圧縮状態の大サイズは、幅が約１５インチ（３８ｃｍ）、高さが約２０インチ（５１ｃｍ）の容器、例えば箱の中に納まることが可能である。
【００３５】
加うるに、ベッドは、特定用途向けの設計上の選択事項としてシミ又は汚れ防止のためのスコッチガード、公知のペットのアレルゲンの成長を阻止する抗菌性ファイバーフィル、天然の臭い制御のためのセダーウッドチップ等を有するのが良いが、これらは非限定的な例である。
【００３６】
さらに、ベッドは、ペットに適したものとして図示されているが、ベッドは、人間のために適している場合があることが想定され、これは、本発明の範囲から逸脱しない。例えば、ベッドは、人間のためのベッド、シートクッション等であっても良く、これは、本発明の範囲から逸脱しない。
【００３７】
ペットに適したベッドを提供する方法も又、本明細書において開示される。本発明の実施形態によれば、圧縮可能であって膨張可能である圧縮性マットレスを提供することができ、マットレスは、好ましくは、その膨張状態を自然に維持することができる。マットレスは、その膨張状態から圧縮状態に、好ましくは、膨張状態のマットレスの嵩の１４％〜３０％まで圧縮可能である。マットレスを圧縮するには、圧力をマットレスに加えてこれを拘束するのが良い。変形例として、マットを袋の中に入れて空気を袋及びマットレスの中から抜くのが良い。次に、例えばマットレスを袋の中、例えばポリエステル製の袋の中に封入することによりマットレスを圧縮状態に拘束するのが良い。圧縮状態のマットレスを例えば種々の包装材を用いて、例えば、密閉袋に入れて、段ボール箱に入れて又はこれら両方を利用して輸送し、流通させ、販売すること等を行うことができる。
【００３８】
例示の実施形態によれば、複数のサイズのマットレスを提供できる。さらに、マットレスを覆う種々のライナーも又、提供できる。好ましくは、ライナーは、洗濯可能であって防水である。図５〜図７によれば、圧縮状態のマットレス及びライナーは、展示システムで展示することができ、それにより、ユーザは、単一のユニットから必要なマットレス及びライナーを選択しやすくなる。好ましくは、選択を容易にするために互いに異なるサイズを色分けするのが良い。完全に覆われて膨張状態のマットレスも又、好ましくは、ユーザにとって選択を一段と容易にすることができる種々の特徴を識別した状態で展示されるのが良い。システムに関する図による説明も又、好ましくは展示システムの頂部の近くに設けられるのが良い。
【００３９】
かくして、本発明の実施形態の新規な特徴、例えば材料や寸法を図示すると共に説明し、そして指摘したが、当業者であれば、本発明の精神から逸脱することなく、開示した発明の形態及び細部の種々の省略及び置換並びに変更を想到できることは理解されよう。例えば、マットレスの形状及びサイズ、仕切りの数、マットレスを圧縮状態に維持するために用いられる保持具の数及び形式、展示システムのコラム及び棚の数及び配置状態等を本発明の範囲から逸脱することなく変更できる。したがって、本発明の範囲は、特許請求の範囲の記載にのみ基づいて定められる。
【００４０】
また、特許請求の範囲の記載が本明細書に開示した本発明の属としての特徴及び種としての特徴の全て並びに文言上、これらの特徴に含まれると考えられる本発明の範囲に関する全ての供述を含むものであることは理解されるべきである。
【図面の簡単な説明】
【００４１】
【図１】本発明の圧縮可能であって膨張可能なマットレスの斜視図である。
【図２】本発明のマットレスをライナー付きで示す図である。
【図３】本発明のマットレス及びこれを展示するラック又はシステムを示す略図である。
【図４Ａ】本発明のマットレスを圧縮する際においてマットレスをその膨張状態で示す図である。
【図４Ｂ】本発明のマットレスを圧縮する際においてマットレスを丸く巻く手順を示す図である。
【図４Ｃ】本発明のマットレスを圧縮する際においてマットレスを袋内に挿入する手順を示す図である。
【図４Ｄ】本発明のマットレスの圧縮に先立ってマットレスが袋内に収納された状態を示す図である。
【図４Ｅ】空気を袋内から抜いた後の圧縮状態の本発明のマットレスを示す図である。
【図４Ｆ】本発明のマットレスを箱内に挿入することによりマットレスを圧縮状態に保持した状態を示す図である。
【図５】本発明に従って種々のサイズのマットレス及びライナー並びに比較的豊富な品揃えのライナーを展示する展示システムを示す斜視図である。
【図６】本発明に従って種々のサイズのマットレス及びライナー並びに比較的比較的豊富な品揃えのライナーを展示する別の展示システムを示す正面図である。
【図７】本発明に従って種々のサイズのマットレス及びライナー並びに比較的比較的豊富な品揃えのライナーを展示する別の展示システムを示す斜視図である。
【図１】
2008284377.tif 000003
【図２】
2008284377.tif 000004
【図３】
2008284377.tif 000005
【図４Ａ】
2008284377.tif 000006
【図４Ｂ】
2008284377.tif 000007
【図４Ｃ】
2008284377.tif 000008
【図４Ｄ】
2008284377.tif 000009
【図４Ｅ】
2008284377.tif 000010
【図４Ｆ】
2008284377.tif 000011
【図５】
2008284377.tif 000012
【図６】
2008284377.tif 000013
【図７】
2008284377.tif 000014
【外国語明細書】
2008284377.tif 000015
2008284377.tif 000016
2008284377.tif 000017
2008284377.tif 000018
2008284377.tif 000019
2008284377.tif 000020
2008284377.tif 000021
2008284377.tif 000022
2008284377.tif 000023
2008284377.tif 000024
2008284377.tif 000025
2008284377.tif 000026
2008284377.tif 000027
2008284377.tif 000028
2008284377.tif 000029
2008284377.tif 000030
2008284377.tif 000031
2008284377.tif 000032
2008284377.tif 000033
2008284377.tif 000034
2008284377.tif 000035
2008284377.tif 000036
2008284377.tif 000037
2008284377.tif 000038
2008284377.tif 000039